(57)【要約】【課題】  導通検査の際に検査ピンを接続端子の側面に接触し、接続端子を変形させないようにする。【解決手段】  挟着部２ｂ、３ｂにより挟み込むと、コネクタ１１の先端は当接部７のコイルばね８を押し込み、挟着部２ｂ、３ｂに付設されている検査ピン６は、ハウジング１４の孔部１８から端子収容孔１５内に入り込み、接続端子１３の側面に接触し、引き出された電線１２を介し図示しない検査回路を用いて電気的な導通検査を行う。これにより、接続端子１３がハウジング１４内に正しく装着されているか、或いは接続端子１３がハーネス回路において正しく結線されているかが検査される。【選択図】        図５
2005249523.tif 000002
【特許請求の範囲】
【請求項１】
接続端子を収納した端子収納孔の側面に端子導通検査用の孔部を有するコネクタに対する導通検査具であって、操作部の開閉により軸部を中心に略鋏状に開閉してコネクタを挟み込む挟着部をそれぞれ有する一対の上部材と下部材とから成り、前記上部材及び（又は）下部材の内側に導通検査ピンを突出し、前記上部材、下部材間に挿入した前記コネクタに前記孔部を介して前記検査ピンを挿入して、前記コネクタ内の接続端子の導通状態を検査することを特徴とするコネクタ用導通検査具。
【請求項２】
前記操作部間に付勢部材を配置し、前記挟着部同士が閉止するように付勢することを特徴とする請求項１に記載のコネクタ用導通検査具。
【請求項３】
前記上部材と下部材間の奥部に前記コネクタを外方に向けて押し出すためのばね部材を設けたことを特徴とする請求項１に記載のコネクタ用導通検査具。
【請求項４】
前記挟着部の内側には所定形状の前記コネクタのみを受け入れる嵌合部を設けることを特徴とする請求項１に記載のコネクタ用導通検査具。
【発明の詳細な説明】
【技術分野】
【０００１】
本発明は、例えば自動車等のワイヤハーネスに用いるコネクタの導通検査を実施するためのコネクタ用導通検査具に関するものである。
【背景技術】
【０００２】
従来、ワイヤハーネスには多数のコネクタが使用されており、コネクタのハウジングにはワイヤハーネスに電線を介して接続された接続端子が収容されている。ハウジングに収容された接続端子は、ハウジングに形成された係止アーム、又はハウジングの後部に係合されたリアホルダの係止アームにより、ハウジングから抜け出さないように係止されている。ワイヤハーネスは多数の電線、接続端子、ハウジング、リアホルダ等が輻輳して構成されているので、ワイヤハーネスの電気的導通を検査し、配線ミスを防止するための導通検査具が必要となっている。
【０００３】
従来の導通検査具では、例えば複数の導通検査端を有するカムフォロアが水平方向に移動自在に設けられていると共に、このカムフォロアを駆動するためのカムを備えたハンドルが軸支されているものが知られている。導通検査に際しては、コネクタを導通検査具の導通検査端の前方に配置し、ハンドルを回動することによりカムフォロアを従動させ、導通検査端をハウジングの相手側接続端子の挿入口から雌型の接続端子の開口部に押し込むことにより接触させている。
【発明の開示】
【発明が解決しようとする課題】
【０００４】
しかしながらこの従来の導通検査具は、実際のコネクタ同士の嵌合と同様に、導通検査端をハウジングの相手側接続端子の挿入口から接続端子に接触させるので、雌型の接続端子の場合には接続端子の開口部を拡開変形させることがある。
【０００５】
本発明の目的は、上述の問題点を解消し、導通検査の際にコネクタの接続端子を変形させることなく、簡便な検査が可能なコネクタ用導通検査具を提供することにある。
【課題を解決するための手段】
【０００６】
上記目的を達成するための本発明に係るコネクタ用導通検査具は、接続端子を収納した端子収納孔の側面に端子導通検査用の孔部を有するコネクタに対する導通検査具であって、操作部の開閉により軸部を中心に略鋏状に開閉してコネクタを挟み込む挟着部をそれぞれ有する一対の上部材と下部材とから成り、前記上部材及び（又は）下部材の内側に導通検査ピンを突出し、前記上部材、下部材間に挿入した前記コネクタに前記孔部を介して前記検査ピンを挿入して、前記コネクタ内の接続端子の導通状態を検査することを特徴とする。
【発明の効果】
【０００７】
本発明に係る導通検査具によれば、コネクタの側方に設けた孔部から導通検査ピンをコネクタ内に挿入し、接続端子の接続部の側面に接触するので、従来のように雌型の接続端子の開口部を拡開変形したりすることなく、検査を行うことができる。
【発明を実施するための最良の形態】
【０００８】
本発明を図示の実施例に基づいて詳細に説明する。
図１は実施例に係るコネクタ用導通検査具の側面図を示している。導通検査具１は略鋏状の形状を有する上部材２と下部材３とを有し、それぞれ握り部２ａ、３ａと挟着部２ｂ、３ｂとを有し、握り部２ａ、３ａの操作により軸部４を中心に挟着部２ｂ、３ｂは開閉自在とされている。握り部２ａ、３ａ間にはばね５が介在され、握り部２ａ、３ａ同士を拡開するように付勢されている。実際の鋏と異なるところは、握り部２ａ、３ａ間の間隙を狭めると、挟着部２ｂ、３ｂ同士の間隔が開くことである。
【０００９】
挟着部２ｂ、３ｂ同士を閉止した状態において、挟着部２ｂ、３ｂの間にコネクタが挟着し得るようにされ、挟着部２ｂ、３ｂの先端部の内側にはそれぞれ傾斜したコネクタ案内用の案内部２ｃ、３ｃが設けられ、更にコネクタの外形に合わせた形状の嵌合部２ｄ、３ｄが設けられている。
【００１０】
挟着部２ｂ、３ｂの内面においては、コネクタ１１内に入り込む複数の導通検査ピン６が図の奥行方向に並列してそれぞれ設けられている。また、挟着部２ｂ、３ｂ間の空間部の奥部には別部材のコネクタ当接部７が軸部４に取り付けられており、その中央にはコイルばね８が入口方向に向けて突設されている。なお、導通検査ピン６は導通検査具１内において、配線が接続され回路が形成されているが、図示は省略している。
【００１１】
図２はコネクタ１１の拡大断面図である。コネクタ１１には電線１２を付設した複数の接続端子１３が２段に合成樹脂製のハウジング１４内の端子収容孔１５に装着されている。ハウジング１４の後部にはリアホルダ１６が取り付けられ、このリアホルダ１６に設けられた係止ランス１７により、接続端子１３はそれぞれハウジング１４内に固定されている。また、ハウジング１４の端子収容孔１５の片面には、接続端子１３の導通を検査するための孔部１８が形成されている。なお、端子収容孔１５の前方には、相手側接続端子が挿入される挿入口１９が設けられている。
【００１２】
導通検査に際しては、図３に示すようにコネクタ１１を導通検査具１の挟着部２ｂ、３ｂの入口の案内部２ｃ、３ｃに当接し押し込むと、コネクタ１１はばね５の付勢力に抗して挟着部２ｂ、３ｂを押し拡げると共に、挟着部２ｂ、３ｂ内に入り込み、図４に示す状態となる。
【００１３】
更に、コネクタ１１を押し込むと、図５に示すようにコネクタ１１の先端は当接部７のコイルばね８を押し込み、ばね５の付勢力により挟着部２ｂ、３ｂは閉止して、コネクタ１１を嵌合部２ｄ、３ｄで位置決めし収納する。
【００１４】
同時に、挟着部２ｂ、３ｂに付設されている検査ピン６は、ハウジング１４の孔部１８から端子収容孔１５内に入り込み、接続端子１３の側面に接触し、引き出された電線１２を介し図示しない検査回路を用いて電気的な導通検査が行われる。これにより、接続端子１３がハウジング１４内に正しく装着されているか、或いは接続端子１３がハーネス回路において正しく結線されているかが検査される。
【００１５】
検査が終了し、図６に示すように握り部２ａ、３ａを握って挟着部２ｂ、３ｂを拡げると、導通検査ピン６は孔部１８から抜け出し、当接部７のコイルばね８がコネクタ１１を押し出す。コネクタ１１は挟着部２ｂ、３ｂから外部にはみ出すので、コネクタ１１をつまんで導通検査具１の外部に引き出せばよい。
【００１６】
このように導通検査に際して、導通検査ピン６をコネクタ１１内の接続端子１３に孔部１８を介して側方から接触させるので、接続端子１３の端子接続部の開口部を拡開変形させることはない。
【００１７】
なお、図７に示すコネクタ１１のように、リアホルダ１６がハウジング１４に対して十分に挿入されず、接続端子１３が端子収容孔１５に正しく装着されていない場合がある。
【００１８】
この場合には、リアホルダ１６がハウジング１４からはみ出しているために、挟着部２ｂ、３ｂは完全に閉止することができず、導通検査ピン６が孔部１８内に挿入できないので、直ちにコネクタ１１自体の異常を発見することができる。
【産業上の利用可能性】
【００１９】
なお、コネクタによっては接続端子１３は１段に装着されていることがあり、この場合には検査ピン６は上部材２又は下部材３の何れか一方に設ければよい。
【００２０】
また、実施例では握り部２ａ、３ａを用いて、手動で挟着部２ｂ、３ｂを開閉するようにしたが、機械的手段によって開閉するようにすることもできる。
【図面の簡単な説明】
【００２１】
【図１】導通検査具の側面図である。
【図２】コネクタの拡大断面図である。
【図３】作用説明図である。
【図４】作用説明図である。
【図５】作用説明図である。
【図６】作用説明図である。
【図７】作用説明図である。
【符号の説明】
【００２２】
１  導通検査具
２  上部材
２ａ、３ａ  握り部
２ｂ、３ｂ  挟着部
２ｃ、３ｃ  案内部
３  下部材
６  導通検査ピン
８  コイルばね
１１  コネクタ
１２  電線
１３  接続端子
１４  ハウジング
１８  孔部
【図１】
2005249523.tif 000003
【図２】
2005249523.tif 000004
【図３】
2005249523.tif 000005
【図４】
2005249523.tif 000006
【図５】
2005249523.tif 000007
【図６】
2005249523.tif 000008
【図７】
2005249523.tif 000009